【事件の表示】
　特許第２９５６６９１号「有機エレクトロルミネッセンス素子」の請求項１ないし８に係る特許に対する特許異議の申立てについて、次のとおり決定する。
【結　論】
　訂正を認める。
　特許第２９５６６９１号の請求項１ないし８に係る特許を維持する。
【理　由】
１．手続の経緯
　特許第２９５６６９１号の請求項１〜８に係る発明は、平成１０年５月２２日に特許出願され、平成１１年７月２３日にその特許権の設定登録がなされ、その後、東洋インキ製造株式会社より特許異議の申立てがなされ、取消しの理由が通知され、その指定期間内である平成１２年９月２２日に訂正請求（後日取下げ）がなされた後、再度の取消しの理由が通知され、その指定期間内である平成１２年１１月２７日に訂正請求がなされたものである。
２．訂正の適否についての判断
　ア．訂正の内容
  特許権者が求めている訂正の内容は、以下のａ．〜ｅ．のとおりである。
  ａ．請求項１に記載される「（式中、Ａｒ１、Ａｒ１’、及びＡｒ２はそれぞれ独立に一般式（４）、（５）及び（６）で表される基のいずれかを表す。ただし、Ａｒ１とＡｒ１’は（４）、（５）、（６）のうち互いに異なる一般式で表される基である。」を「（式中、Ａｒ１、Ａｒ１’、及びＡｒ２はそれぞれ独立に一般式（４）、（５）及び（６）で表される基のいずれかを表す。ただし、Ａｒ２が、置換もしくは無置換の９−アンスリル基である場合は除く。また、Ａｒ１とＡｒ１’は（４）、（５）、（６）のうち互いに異なる一般式で表される基であり、かつ異なる基である。」に訂正する。
  ｂ．発明の詳細な説明中段落【0008】の「（式中、Ａｒ１、Ａｒ１’、及びＡｒ２はそれぞれ独立に一般式（４）、（５）及び（６）で表される基のいずれかを表す。ただし、Ａｒ１とＡｒ１’は（４）、（５）、（６）のうち互いに異なる一般式で表される基である。」を「（式中、Ａｒ１、Ａｒ１’、及びＡｒ２はそれぞれ独立に一般式（４）、（５）及び（６）で表される基のいずれかを表す。ただし、Ａｒ２が、置換もしくは無置換の９−アンスリル基である場合は除く。また、Ａｒ１とＡｒ１’は（４）、（５）、（６）のうち互いに異なる一般式で表される基であり、かつ異なる基である。」に訂正する。
　ｃ．発明の詳細な説明中段落【0027】の「以下に本発明の有機エレクトロルミネッセンス素子に使用される化合物例を挙げるが、本発明はこれらに限定されるものではない。」を「以下に本発明の有機エレクトロルミネッセンス素子に使用される化合物例を挙げるが、本発明はこれらに限定されるものではない。ただし、化合物（52）、（54）、（60）、（74）、（80）、（81）、（84）、（89）は参考例とする。」に訂正する。
　ｄ．発明の詳細な説明中段落【0053】、【0054】、【0056】、【0057】の「合成例」を「合成例（参考例）」に訂正する。
　ｅ．発明の詳細な説明中段落【0062】、【0063】、【0065】、【0066】、【0068】、【0069】、【0074】、【0075】、【0077】、【0078】、【0081】、【0082】、【0084】、【0087】、【0088】、【0090】、【0091】の「実施例」を「参考例」に訂正する。
　イ．訂正の目的の適否、新規事項の有無及び拡張・変更の存否
上記訂正事項ａ．は、請求項１に記載された発明を特定する事項である一般式（４）〜（６）で表される基から特定の基を除外し、更にＡｒ１とＡｒ１’が互いに異なることを規定するものであるから、特許請求の範囲の減縮に該当し、また、上記訂正事項ｂ．〜ｅ．は、上記訂正事項ａ．と整合を図るものであるから、明りようでない記載の釈明を目的とした明細書の訂正に該当し、いずれも、新規事項の追加に該当せず、実質的に特許請求の範囲を拡張又は変更するものではない。
　ウ．むすび
　以上のとおりであるから、上記訂正は、特許法第１２０条の4第２項及び同条第３項において準用する第１２６条第２項及び第３項の規定に適合するので、当該訂正を認める。
３．特許異議申立てについて
　ア．本件特許明細書
　上記２．で示したように上記訂正が認められるから、本件の請求項１〜８に係る発明は、上記訂正に係る訂正明細書の請求項１〜８に記載された事項により特定される次のとおりのものである。
【請求項１】　陽極と陰極間に発光層を含む一層以上の有機薄膜層を有する有機エレクトロルミネッセンス素子において、前記有機薄膜層の少なくとも一層が下記一般式（１）、（２）または（３）で示される材料
Ａr1−Ａｒ1’（１）
Ａｒ1−Ａｒ3−Ａｒ2（２）
Ａｒ1−Ａｒ3−Ａｒ4−Ａｒ2（３）
（式中、Ａｒ1、Ａｒ1’及びＡｒ2はそれぞれ独立に一般式（４）、（５）及び（６）で表される基のいずれかを表す。ただし、Ａｒ2が、置換もしくは無置換の９−アンスリル基である場合は除く。また、Ａｒ1とＡｒ1’は（４）、（５）、（６）のうち互いに異なる一般式で表される基であり、かつ異なる基である。
【化１】
また、Ａｒ3及びはＡｒ4は一般式（７）ないし（１１）で表される２価基を表す。
【化２】
【化３】
（式中、Ｒ1〜Ｒ14は、それぞれ独立に、水素原子、ハロゲン原子、ヒドロキシル基、置換若しくは無置換のアミノ基、ニトロ基、シアノ基、置換若しくは無置換のアルキル基、置換若しくは無置換のアルケニル基、（ただし置換若しくは無置換のスチリル基は除く）、置換若しくは無置換のシクロアルキル基、置換若しくは無置換のアルコキシ基、置換若しくは無置換の芳香族炭化水素基、置換若しくは無置換の芳香族複素環基、置換若しくは無置換のアラルキル基、置換若しくは無置換のアリールオキシ基、置換若しくは無置換のアルコキシカルボニル基、カルボキシル基を表す。またＲ1〜Ｒ3のうちの２つ、Ｒ5とＲ6、Ｒ7とＲ8、Ｒ9とＲ10、及びＲ13とＲ14、の各対は連結して環を形成していても良い。また、Ａ1〜Ａ13は、置換または無置換の縮合炭化水素環、あるいは、置換または無置換の縮合複素環を形成する原子団を表す。））のうち、Ａ1〜Ａ13により形成される環構造上の置換基あるいはＲ1〜Ｒ14の少なくとも１つが、−ＮＡｒ5Ａｒ6（Ａｒ5、Ａｒ6はそれぞれ独立に置換若しくは無置換の炭素数６〜２０のアリール基を表す。）で表されるジアリールアミノ基である化合物を単独若しくは混合物として含有する事を特徴とする有機エレクトロミネッセンス素子。
【請求項２】　前記有機薄膜層が、発光層であることを特徴とする、請求項１記載の有機エレクトロルミネッセンス素子。
【請求項３】　前記有機薄膜層が、正孔輸送層であることを特徴とする、請求項１記載の有機エレクトロルミネッセンス素子。
【請求項４】　前記有機薄膜層が、電子輸送層であることを特徴とする、請求項１記載の有機エレクトロルミネッセンス素子。
【請求項５】　前記ジアリールアミノ基のＡｒ5，Ａｒ6基の少なくとも一つが置換または無置換のスチリル基を置換基として持つことを特徴とする、請求項１記載の有機エレクトロルミネッセンス素子。
【請求項６】　前記有機薄膜層が、発光層であることを特徴とする、請求項５記載の有機エレクトロルミネッセンス素子。
【請求項７】　前記有機薄膜層が、正孔輸送層であることを特徴とする、請求項５記載の有機エレクトロルミネッセンス素子。
【請求項８】　前記有機薄膜層が、電子輸送層であることを特徴とする、請求項５記載の有機エレクトロルミネッセンス素子。
　イ．申立て理由の概要
  特許異議申立人東洋インキ製造株式会社は、証拠として甲第１号証（特願平９−２７１８２４号の出願当初の明細書に相当する特開平１１−１１１４６０号公報）を提出し、請求項１〜８に係る発明の特許は、特許法第２９条の２の規定に違反してなされ、さらに甲第２号証（特願平１０−２９９９６号の明細書に相当する特開平１１−２２８９５１号公報）を提出し、請求項１〜８に係る発明の特許は、特許法第３９条第１項の規定に違反してなされたものであるから、その特許を取り消すべき旨主張し、さらに請求項１に係る発明の特許は、その明細書が特許法第３６条第６項第２号の規定する要件を満たしていない特許出願に対してなされたものであるから、その特許を取り消すべき旨主張している。
　ウ．判断
　i)特許法第３６条第６項第２号違反について
　本件の請求項１の記載は上記訂正事項２．ア．ａ．のとおり「Ａｒ１とＡｒ１’は（４）、（５）、（６）のうち互いに異なる一般式で表わされる基であり、かつ異なる基である。」と訂正されたので、申立人が主張するＡｒ１とＡｒ１’　が同一の基の組合せとなることがあるとの記載の不備は解消した。　
　よって、本件請求項１に係る発明の特許は、特許法第３６条第６項に規定する要件を満たさない特許出願に対してなされたものとすることはできない。
　ii)特許法第２９条の２、第３９条第１項違反について
　当審において通知した取消しの理由で引用した先願１：特願平９−２７１８２４号（特開平１１−１１１４６０号公報参照、甲第１号証）、先願２：特願平１０−２９９９６号（特開平１１−２２８９５１号公報参照、甲第２号証）には、本件発明でＡｒ２が置換もしくは無置換の９−アンスリル基に該当する化合物を含む有機エレクトロルミネッセンス素子が記載されている。
　これに対し、本件請求項１に係る発明では、上記訂正事項２．ア．ａ．により、Ａｒ２が、置換もしくは無置換の９−アンスリル基である場合は除かれることとなったので、該基を含む材料を使用する先願１に係る発明又は先願２に係る発明と本件請求項１に係る発明とは同一のものとはいえない。
　また、請求項１を引用する請求項２〜５に係る発明及び請求項５を引用する請求項６〜８に係る発明も、請求項１に係る発明と同様の理由で、先願１に係る発明又は先願２に係る発明とは同一のものとはいえない。
　エ．むすび
　以上のとおりであるから、特許異議申立ての理由及び証拠によっては、本件請求項１〜８に係る発明についての特許を取り消すことはできない。
　また、他に本件請求項１〜８に係る発明についての特許を取り消すべき理由を発見しない。
　よって、結論のとおり決定する。
【異議決定日】
平成１２年１２月２６日（２０００．１２．２６）
【訂正の要旨】
　訂正の要旨
特許第２９５６６９１号発明の明細書中、特許請求の範囲の減縮を目的として、
　ａ．請求項１に記載される「（式中、Ａｒ１、Ａｒ１’、及びＡｒ２はそれぞれ独立に一般式（４）、（５）及び（６）で表される基のいずれかを表す。ただし、Ａｒ１とＡｒ１’は（４）、（５）、（６）のうち互いに異なる一般式で表わされる基である。」を「（式中、Ａｒ１、Ａｒ１’、及びＡｒ２はそれぞれ独立に一般式（４）、（５）及び（６）で表される基のいずれかを表す。ただし、Ａｒ２が、置換もしくは無置換の９−アンスリル基である場合は除く。また、Ａｒ１とＡｒ１’は（４）、（５）、（６）のうち互いに異なる一般式で表わされる基であり、かつ異なる基である。」に訂正する。
上記訂正事項ａ．と整合を図るため、明りょうでない記載の釈明を目的として、
　ｂ．発明の詳細な説明中段落【０００８】の「（式中、Ａｒ１、Ａｒ１’、及びＡｒ２はそれぞれ独立に一般式（４）、（５）及び（６）で表される基のいずれかを表す。ただし、Ａｒ１とＡｒ１’は（４）、（５）、（６）のうち互いに異なる一般式で表わされる基である。」を「（式中、Ａｒ１、Ａｒ１’、及びＡｒ２はそれぞれ独立に一般式（４）、（５）及び（６）で表される基のいずれかを表す。ただし、Ａｒ２が、置換もしくは無置換の９−アンスリル基である場合は除く。また、Ａｒ１とＡｒ１’は（４）、（５）、（６）のうち互いに異なる一般式で表わされる基であり、かつ異なる基である。」に訂正する。
　ｃ．発明の詳細な説明中段落【００２７】の以下に本発明の有機エレクトロルミネッセンス素子に使用される化合物例を挙げるが、本発明はこれらに限定されるものではない。」を「以下に本発明の有機エレクトロルミネッセンス素子に使用される化合物例を挙げるが、本発明はこれらに限定されるものではない。ただし、化合物（５２）、（５４）、（６０）、（７４）、（８０）、（８１）、（８４）、（８９）は参考例とする。」に訂正する。
　ｄ．発明の詳細な説明中段落【００５３】、【００５４】、【００５６】、【００５７】の「合成例」を「合成例（参考例）」に訂正する。
　ｅ．発明の詳細な説明中段落【００６２】、【００６３】、【００６５】、【００６６】、【００６８】、【００６９】、【００７４】、【００７５】、【００７７】、【００７８】、【００８１】、【００８２】、【００８４】、【００８７】、【００８８】、【００９０】、【００９１】の「実施例」を「参考例」に訂正する。
（５４）【発明の名称】
有機エレクトロルミネッセンス素子
（５７）【特許請求の範囲】
　【請求項１】　陽極と陰極間に発光層を含む一層以上の有機薄膜層を有する有機エレクトロルミネッセンス素子において、前記有機薄膜層の少なくとも一層が下記一般式（１）、（２）または（３）で示される材料
Ａｒ１−Ａｒ１’（１）
Ａｒ１−Ａｒ３−Ａｒ２（２）
Ａｒ１−Ａｒ３−Ａｒ４−Ａｒ２（３）
（式中、Ａｒ１、Ａｒ１’及びＡｒ２はそれぞれ独立に一般式（４）、（５）及び（６）で表される基のいずれかを表す。ただし、Ａｒ２が、置換もしくは無置換の９−アンスリル基である場合は除く。また、Ａｒ１とＡｒ１’は（４）、（５）、（６）のうち互いに異なる一般式で表される基であり、かつ異なる基である。
　【化１】
また、Ａｒ３及びはＡｒ４は一般式（７）ないし（１１）で表される２価基を表す。
　【化２】
　【化３】
（式中、Ｒ１〜Ｒ１４は、それぞれ独立に、水素原子、ハロゲン原子、ヒドロキシル基、置換若しくは無置換のアミノ基、ニトロ基、シアノ基、置換若しくは無置換のアルキル基、置換若しくは無置換のアルケニル基、（ただし置換若しくは無置換のスチリル基は除く）、置換若しくは無置換のシクロアルキル基、置換若しくは無置換のアルコキシ基、置換若しくは無置換の芳香族炭化水素基、置換若しくは無置換の芳香族複素環基、置換若しくは無置換のアラルキル基、置換若しくは無置換のアリールオキシ基、置換若しくは無置換のアルコキシカルボニル基、カルボキシル基を表す。またＲ１〜Ｒ３のうちの２つ、Ｒ５とＲ６、Ｒ７とＲ８、Ｒ９とＲ１０、及びＲ１３とＲ１４、の各対は連結して環を形成していても良い。また、Ａ１〜Ａ１３は、置換または無置換の縮合炭化水素環、あるいは、置換または無置換の縮合複素環を形成する原子団を表す。））のうち、Ａ１〜Ａ１３により形成される環構造上の置換基あるいはＲ１〜Ｒ１４の少なくとも１つが、−ＮＡｒ５Ａｒ６（Ａｒ５、Ａｒ６はそれぞれ独立に置換若しくは無置換の炭素数６〜２０のアリール基を表す。）で表されるジアリールアミノ基である化合物を単独若しくは混合物として含有する事を特徴とする有機エレクトロミネッセンス素子。
　【請求項２】　前記有機薄膜層が、発光層であることを特徴とする、請求項１記載の有機エレクトロルミネッセンス素子。
　【請求項３】　前記有機薄膜層が、正孔輸送層であることを特徴とする、請求項１記載の有機エレクトロルミネッセンス素子。
　【請求項４】　前記有機薄膜層が、電子輸送層であることを特徴とする、請求項１記載の有機エレクトロルミネッセンス素子。
　【請求項５】　前記ジアリールアミノ基のＡｒ５，Ａｒ６基の少なくとも一つが置換または無置換のスチリル基を置換基として持つことを特徴とする、請求項１記載の有機エレクトロルミネッセンス素子。
　【請求項６】　前記有機薄膜層が、発光層であることを特徴とする、請求項５記載の有機エレクトロルミネッセンス素子。
　【請求項７】　前記有機薄膜層が、正孔輸送層であることを特徴とする、請求項５記載の有機エレクトロルミネッセンス素子。
　【請求項８】　前記有機薄膜層が、電子輸送層であることを特徴とする、請求項５記載の有機エレクトロルミネッセンス素子。
【発明の詳細な説明】
　【０００１】
　【発明の属する技術分野】本発明は、発光特性に優れた有機エレクトロルミネッセンス素子に関する。
　【０００２】
　【従来の技術】有機エレクトロルミネッセンス（ＥＬ）素子は、電界を印加することにより、陽極より注入された正孔と陰極より注入された電子の再結合エネルギーにより蛍光性物質が発光する原理を利用した自発光素子である。Ｃ．Ｗ．Ｔａｎｇらによる積層型素子による低電圧駆動有機ＥＬ素子の報告（Ｃ．Ｗ．Ｔａｎｇ，Ｓ．Ａ．ＶａｎＳｌｙｋｅ，アプライドフィジックスレターズ（Ａｐｐｌｉｅｄ　Ｐｈｙｓｉｃｓ　Ｌｅｔｔｅｒｓ），５１巻，９１３頁、１９８７年など）がなされて以来、有機材料を構成材料とする有機ＥＬ素子に関する研究が盛んに行われている。Ｔａｎｇらは、トリス（８−ヒドロキシキノリノールアルミニウム）を発光層に、トリフェニルジアミン誘導体を正孔輸送層に用いている。積層構造の利点としては、発光層への正孔の注入効率を高めること、陰極より注入された電子をブロックして再結合により生成する励起子の生成効率を高めること、発光層内で生成した励起子を閉じこめることなどが挙げられる。この例のように有機ＥＬ素子の素子構造としては、正孔輸送（注入）層、電子輸送性発光層の２層型、または正孔輸送（注入）層、発光層、電子輸送（注入）層の３層型等が良く知られている。こうした積層型構造素子では注入された正孔と電子の再結合効率を高めるため、素子構造や形成方法の工夫がなされている。
　【０００３】正孔輸送性材料としてはスターバースト分子である４，４′，４″−トリス（３−メチルフェニルフェニルアミノ）トリフェニルアミンやＮ，Ｎ′−ジフェニル−Ｎ，Ｎ′−ビス（３−メチルフェニル）−［１，１′−ビフェニル］−４，４′−ジアミン等のトリフェニルアミン誘導体や芳香族ジアミン誘導体がよく知られている（例えば、特開平８−２０７７１号公報、特開平８−４０９９５号公報、特開平８−４０９９７号公報、公報特開平８−５４３３９７号公報、特開平８−８７１２２号公報等）。
　【０００４】電子輸送性材料としてはオキサジアゾール誘導体、トリアゾール誘導体等がよく知られている。
　【０００５】発光材料としてはトリス（８−キノリノラート）アルミニウム錯体等のキレート錯体、クマリン誘導体、テトラフェニルブタジエン誘導体、ビススチリルアリーレン誘導体、オキサジアゾール誘導体等の発光材料が知られており、それらの発光色も青色から赤色までの可視領域の発光が得られることが報告されており、カラー表示素子の実現が期待されている（例えば、特開平８−２３９６５５号公報、特開平７−１３８５６１号公報、特開平３−２００２８９号公報等）。
　【０００６】
　【発明が解決しようとする課題】最近では高輝度、長寿命の有機ＥＬ素子が開示あるいは報告されているがまだ必ずしも充分なものとはいえない。したがって、高性能を示す材料開発が強く求められている。本発明の目的は、高輝度の有機ＥＬ素子を提供することにある。
　【０００７】
　【課題を解決するための手段】本発明者らは、前記課題を解決するために鋭意検討した結果、特定のジアリール化合物または、トリアリール化合物、あるいはテトラアリール化合物のうち、ジアリールアミノ基を置換基に有するものを発光材料として用いて作製した有機ＥＬ素子は従来よりも高輝度発光することを見いだした。また、前記材料は高いキャリヤ輸送性を有することがわかり、前記材料を正孔輸送材料、または電子輸送材料として作製した有機ＥＬ素子、及び前記材料と他の正孔輸送材料あるいは電子輸送材料との混合薄膜を用いて作製した有機ＥＬ素子は従来よりも高輝度発光を示すことを見いだし本発明に至った。また、ジアリールアミノ基を置換基に有する前記化合物の中でも、アリール基がスチリル基を置換基として有するものを発光材料、正孔輸送材料、電子輸送材料として用いて作成した有機ＥＬ素子は、特に高い輝度の発光が得られることを見いだし、本発明に至った。
　【０００８】すなわち本発明は次のようである。
１．陽極と陰極間に発光層を含む一層以上の有機薄膜層を有する有機エレクトロルミネッセンス素子において、前記有機薄膜層の少なくとも一層が下記一般式（１）、（２）または（３）で示される材料
Ａｒ１−Ａｒ１’（１）
Ａｒ１−Ａｒ３−Ａｒ２（２）
Ａｒ１−Ａｒ３−Ａｒ４−Ａｒ２（３）
（式中、Ａｒ１、Ａｒ１’及びＡｒ２はそれぞれ独立に一般式（４）、（５）及び（６）で表される基のいずれかを表す。ただし、Ａｒ２が、置換もしくは無置換の９−アンスリル基である場合は除く。また、Ａｒ１とＡｒ１’は（４）、（５）、（６）のうち互いに異なる一般式で表される基であり、かつ異なる基である。
　【０００９】
　【化４】
Ａｒ３およびＡｒ４は、一般式（７）ないし（１１）で表される２価基を表す。
　【００１０】
　【化５】
　【００１１】
　【化６】
（式中、Ｒ１〜Ｒ１４はそれぞれ独立に、水素原子、ハロゲン原子、ヒドロキシル基、置換若しくは無置換のアミノ基、ニトロ基、シアノ基、置換若しくは無置換のアルキル基、置換若しくは無置換のアルケニル基、（ただし置換若しくは無置換のスチリル基は除く）、スチリル置換若しくは無置換のシクロアルキル基、置換若しくは無置換のアルコキシ基、置換若しくは無置換の芳香族炭化水素基、置換若しくは無置換の芳香族複素環基、置換若しくは無置換のアラルキル基、置換若しくは無置換のアリールオキシ基、置換若しくは無置換のアルコキシカルボニル基、カルボキシル基を表す。またＲ１〜Ｒ３のうちの２つ、Ｒ５とＲ６、Ｒ７とＲ８、Ｒ９とＲ１０、及びＲ１３とＲ１４、の各対は連結して環を形成していても良い。また、Ａ１〜Ａ１３は、置換または無置換の縮合炭化水素環、あるいは、置換または無置換の縮合複素環を形成する原子団を表す。））のうち、Ａ１〜Ａ１３により形成される環構造上の置換基あるいはＲ１〜Ｒ１４の少なくとも１つが、−ＮＡｒ５Ａｒ６（Ａｒ５、Ａｒ６はそれぞれ独立に置換若しくは無置換の炭素数６〜２０のアリール基を表す。）で表されるジアリールアミノ基である化合物を単独若しくは混合物として含有することを特徴とする有機エレクトロミネッセンス素子。
２．前記有機薄膜層が、発光層であることを特徴とする、上記１に記載の有機エレクトロルミネッセンス素子。
３．前記有機薄膜層が、正孔輸送層であることを特徴とする、上記１に記載の有機エレクトロルミネッセンス素子。
４．前記有機薄膜層が、電子輸送層であることを特徴とする、上記１に記載の有機エレクトロルミネッセンス素子。
５．前記ジアリールアミノ基のＡｒ５及びＡｒ６基の少なくとも一つが置換または無置換のスチリル基を置換基として持つことを特徴とする、上記１に記載の有機エレクトロルミネッセンス素子。
６．前記有機薄膜層が、発光層であることを特徴とする、上記５に記載の有機エレクトロルミネッセンス素子。
７．前記有機薄膜層が、正孔輸送層であることを特徴とする、上記５に記載の有機エレクトロルミネッセンス素子。
８．前記有機薄膜層が、電子輸送層であることを特徴とする、上記５に記載の有機エレクトロルミネッセンス素子。
　【００１２】
　【発明の実施の形態】本発明の有機エレクトロルミネッセンス素子に使用する化合物は、一般式（１）、（２）または（３）で表される構造を有する化合物である。Ｒ１〜Ｒ１４は、それぞれ独立に、水素原子、ハロゲン原子、ヒドロキシル基、置換もしくは無置換のアミノ基、ニトロ基、シアノ基、置換もしくは無置換のアルキル基、置換もしくは無置換のアルケニル基（ただし、置換もしくは無置換のスチリル基は除く）、置換もしくは無置換のシクロアルキル基、置換もしくは無置換のアルコキシ基、置換もしくは無置換の芳香族炭化水素基、置換もしくは無置換の芳香族複素環基、置換もしくは無置換のアラルキル基、置換もしくは無置換のアリールオキシ基、置換もしくは無置換のアルコキシカルボニル基またはカルボキシル基を表す。またＲ１〜Ｒ３のうちの２つ、Ｒ５とＲ６、Ｒ７とＲ８、Ｒ９とＲ１０、及びＲ１３とＲ１４の各対は連結して環を形成していてもよい。Ａ１〜Ａ１３は、置換もしくは無置換の炭化水素環、または、置換もしくは無置換の複素環を形成する原子団を表す。
　【００１３】Ａ１〜Ａ１３によって形成される環構造上の置換基としては、ハロゲン原子、ヒドロキシル基、置換もしくは無置換のアミノ基、ニトロ基、シアノ基、置換もしくは無置換のアルキル基、置換もしくは無置換のアルケニル基（ただし、置換もしくは、無置換のスチリル基は除く）、置換もしくは無置換のシクロアルキル基、置換もしくは無置換のアルコキシ基、置換もしくは無置換の芳香族炭化水素基、置換もしくは無置換の芳香族複素環基、置換もしくは無置換のアラルキル基、置換もしくは無置換のアリールオキシ基、置換もしくは無置換のアルコキシカルボニル基またはカルボキシル基があげられる。これらＡ１〜Ａ１３によって形成される環構造上の置換基は、それら同士で環を形成してもよい。
　【００１４】以上に述べた置換基の例を以下に示す。ハロゲン原子としては、フッ素、塩素、臭素、ヨウ素が挙げられる。置換もしくは無置換のアミノ基は−ＮＸｌＸ２と表され、Ｘ１、Ｘ２としてはそれぞれ独立に、水素原子、メチル基、エチル基、プロピル基、イソプロピル基、ｎ−ブチル基、Ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨードｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロｔ−ブチル基、１，２，３一トリニトロプロピル基、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、４−スチリルフェニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４’’−ｔ−ブチル−ｐ−ターフェニル−４−イル基、２−ピロリル基、３−ピロリル基、ピラジニル基、２−ピリジニル基、３−ピリジニル基、４−ピリジニル基、２−インドリル基、３−インドリル基、４−インドリル基、５−インドリル基、６−インドリル基、７−インドリル基、１−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９一フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１−フェノキサジニル基、２−フェノキサジニル基、３−フェノキサジニル基、４−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブチル１−インドリル基、２−ｔ−ブチル３−インドリル基、４−ｔ−ブチル３−インドリル基等が挙げられる。
　【００１５】置換もしくは無置換のアルキル基としては、メチル基、エチル基、プロピル基、イソプロピル基、ｎ−ブチル基、Ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨードｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロｔ−ブチル基、１，２，３−トリニトロプロピル基等が挙げられる。
　【００１６】置換若しくは無置換のアルケニル基としては、ビニル基、アリル基、１−ブテニル基、２−ブテニル基、３−ブテニル基、１，３−ブタンジエニル基、１−メチルビニル基、１−メチルアリル基、１，１−ジメチルアリル基、２−メチルアリル基、１−フェニルアリル基、２−フェニルアリル基、３−フェニルアリル基、３，３−ジフェニルアリル基、１，２−ジメチルアリル基、１−フェニル−１−ブテニル基、３−フェニル−１−ブテニル基等が挙げられる。
　【００１７】置換もしくは無置換のシクロアルキル基としては、シクロプロピル基、シクロブチル基、シクロペンチル基、シクロヘキシル基、４−メチルシクロヘキシル基等が挙げられる。
　【００１８】置換もしくは無置換のアルコキシ基は、−ＯＹ１で表される基であり、Ｙ１としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、２，３−ジブロモイソプロピル基、２，３−ジブロモｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨードｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロｔ−ブチル基、１，２，３−トリニトロプロピル基等が挙げられる。
　【００１９】置換もしくは無置換の芳香族炭化水素基の例としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１一アントリル基、４’メチルビフェニルイル基、４’’ｔ−ブチル−ｐ−ターフェニル−４−イル基等が挙げられる。
　【００２０】置換もしくは無置換の芳香族複素環基としては１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３一イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル３−インドリル基、２−ｔ−ブチル１−インドリル基、４−ｔ−ブチル１−インドリル基、２−ｔ−ブチル３−インドリル基、４−ｔ−ブチル３−インドリル基等が挙げられる。
　【００２１】置換もしくは無置換のアラルキル基としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ一クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、Ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基等が挙げられる。
　【００２２】置換もしくは無置換のアリールオキシ基は、−ＯＺと表され、Ｚとしてはフェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４’’−ｔ−ブチル−ｐ−ターフェニル−４−イル基、２−ピロリル基、３−ピロリル基、ピラジニル基、２−ピリジニル基、３−ピリジニル基、４−ピリジニル基、２−インドリル基、３−インドリル基、４−インドリル基、５−インドリル基、６−インドリル基、７−インドリル基、１−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１−フェノキサジニル基、２−フェノキサジニル基、３−フェノキサジニル基、４−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブチル１−インドリル基、２−ｔ−ブチル３−インドリル基、４−ｔ−ブチル３−インドリル基等が挙げられる。
　【００２３】置換もしくは無置換のアルコキシカルボニル基は−ＣＯＯＹ２と表され、Ｙ２としてはメチル基、エチル基、プロピル基、イソプロピル基、ｎ−ブチル基、Ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨードｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロｔ−ブチル基、１，２，３−トリニトロプロピル基等が挙げられる。
　【００２４】環を形成する２価基の例としては、テトラメチレン基、ペンタメチレン基、ヘキサメチレン基、ジフェニルメタン−２，２’ジイル基、ジフェニルエタン−３，３’−ジイル基、ジフェニルプロパン−４，４’−ジイル基等が挙げられる。
　【００２５】ジアリールアミノ基は−ＮＡｒ５Ａｒ６（Ａｒ５，Ａｒ６はそれぞれ独立に置換または無置換の炭素数６〜２０のアリール基を表す。）と表される。炭素数６〜２０のアリール基としては、フェニル基、ナフチル基、アントリル基、フェナントリル基、ナフタセニル基、ピレニル基等が挙げられる。これらアリール基の置換基としては、ハロゲン原子、ヒドロキシル基、前記の置換もしくは無置換のアミノ基、ニトロ基、シアノ基、前記の置換もしくは無置換のアルキル基、前記の置換もしくは無置換のアルケニル基（ただし、置換もしくは無置換のスチリル基）、前記の置換もしくは無置換のシクロアルキル基、前記の置換もしくは無置換のアルコキシ基、前記の置換もしくは無置換の芳香族炭化水素基、前記の置換もしくは無置換の芳香族複素環基、前記の置換もしくは無置換のアラルキル基、前記の置換もしくは無置換のアリールオキシ基、前記の置換もしくは無置換のアルコキシカルボニル基またはカルボキシル基が挙げられる。
　【００２６】Ａｒ５およびＡｒ６が置換基として有するスチリル基としては、無置換のスチリル基、２，２−ジフェニルビニル基の他、末端のフェニル基の置換基として、ハロゲン原子、ヒドロキシル基、前記の置換もしくは無置換のアミノ基、ニトロ基、シアノ基、前記の置換もしくは無置換のアルキル基、前記の置換もしくは無置換のアルケニル基、前記の置換もしくは無置換のシクロアルキル基、前記の置換もしくは無置換のアルコキシ基、前記の置換もしくは無置換の芳香族炭化水素基、前記の置換もしくは無置換の芳香族複素環基、前記の置換もしくは無置換のアラルキル基、前記の置換もしくは無置換のアリールオキシ基、前記の置換もしくは無置換のアルコキシカルボニル基またはカルボキシル基等を有する置換スチリル基および置換２，２−ジフェニルビニル基等が挙げられる。
　【００２７】以下に本発明の有機エレクトロルミネッセンス素子に使用される化合物例を挙げるが、本発明はこれらに限定されるものではない。ただし、化合物（５２）、（５４）、（６０）、（７４）、（８０）、（８１）、（８４）、（８９）は参考例とする。
　【００２８】
　【００２９】
　【化８】
　【００３０】
　【００３１】
　【化１０】
　【００３２】
　【００３３】
　【００３４】
　【化１３】
　【００３５】
　【化１４】
　【００３６】
　【化１５】
　【００３７】
　【化１６】
　
　【００３８】
　【００３９】
　【化１８】
　【００４０】
【化１９】
　【００４１】
　【化２０】
　【００４２】
　【化２１】
本発明における有機ＥＬ素子の素子構造は、電極間に有機層を１層あるいは２層以上積層した構造であり、その例として、図１〜４に示すように陽極、発光層、陰極、　陽極、正孔輸送層、発光層、電子輸送層、陰極、　陽極、正孔輸送層、発光層、陰極、あるいは　陽極、発光層、電子輸送層、陰極等の構造が挙げられる。本発明における化合物は上記のどの有機層に用いられてもよく、他の正孔輸送材料、発光材料、電子輸送材料にドープさせることも可能である。
　【００４３】本発明に用いられる正孔輸送材料は特に限定されず、通常正孔輸送剤として使用されている化合物であれば何を使用してもよい。例えば、下記のビス（ジ（ｐ−トリル）アミノフェニル）−１，１−シクロヘキサン［０１］、Ｎ，Ｎ‘−ジフェニル−Ｎ，Ｎ’−ビス（３−メチルフェニル）−１，１‘−ビフェニル−４，４’−ジアミン［０２］、Ｎ，Ｎ‘−ジフェニル−Ｎ−Ｎ−ビス（１−ナフチル）−１，１’−ビフェニル）−４，４‘ジアミン［０３］等のトリフェニルジアミン類や、スターバースト型分子（［０４］〜［０６］等）等が挙げられる。
　【００４４】
　【化２２】
本発明に用いられる電子輸送材料は特に限定されず、通常電子輸送材として使用されている化合物であれば何を使用してもよい。例えば、２−（４−ビフェニリル）−５−（４−ｔ−ブチルフェニル）−１，３，４−オキサジアゾール［０７］、ビス｛２−（４−ｔ−ブチルフェニル）−１，３，４−オキサジアゾール｝−ｍ−フェニレン［０８］、等のオキサジアゾール誘導体、トリアゾール誘導体（［０９］、［１０］等）、キノリノール系の金属錯体（［１１］〜［１４］等）が挙げられる。
　【００４５】
　【化２３】
有機薄膜ＥＬ素子の陽極は、正孔を正孔輸送層に注入する役割を担うものであり、４．５ｅＶ以上の仕事関数を有することが効果的である。本発明に用いられる陽極材料の具体例としては、酸化インジウム錫合金（ＩＴＯ）、酸化錫（ＮＥＳＡ）、金、銀、白金、銅等が適用できる。また陰極としては、電子輸送帯又は発光層に電子を注入する目的で、仕事関数の小さい材料が好ましい。陰極材料は特に限定されないが、具体的にはインジウム、アルミニウム、マグネシウム、マグネシウム−インジウム合金、マグネシウム−アルミニウム合金、アルミニウム−リチウム合金、アルミニウム−スカンジウム−リチウム合金、マグネシウム−銀合金等が使用できる。
　【００４６】本発明の有機ＥＬ素子の各層の形成方法は特に限定されない。従来公知の真空蒸着法、スピンコーティング法等による形成方法を用いることができる。本発明の有機ＥＬ素子に用いる、前記一般式（１）、（２）または（３）で示される化合物を含有する有機薄膜層は、真空蒸着法、分子線蒸着法（ＭＢＥ法）あるいは溶媒に溶かした溶液のディッピング法、スピンコーティング法、キャスティング法、バーコート法、ロールコート法等の塗布法による公知の方法で形成することができる。　本発明の有機ＥＬ素子の各有機層の膜厚は特に制限されないが、一般に膜厚が薄すぎるとピンホール等の欠陥が生じやすく、逆に厚すぎると高い印加電圧が必要となり効率が悪くなるため、通常は数ｎｍから１μｍの範囲が好ましい。
　【００４７】以下、本発明を実施例をもとに詳細に説明するが、本発明はその要旨を越えない限り、以下の実施例に限定されない。
　【００４８】
　【実施例】先ず前述の本発明における化合物の合成例（合成例１〜９）を示し、ついでこれらの化合物を有機薄膜層として使用した例を実施例１〜３８として示す。
　【００４９】
　【００５０】
　【００５１】
　【００５２】合成例４　化合物（４７）の合成
４−ブロモ−１、１’−ビナフチルとマグネシウムをジエチルエーテル中で１時間還流した。これをアントロンのテトラヒドロフラン溶液に加え、さらに２時間加熱した後、希塩酸に注いだ。ジエチルエーテルにより抽出を行い、硫酸マグネシウム上で乾燥させた。その後、常法に従って精製し、１−（９−アンスリル）−４−（１−ナフチル）−ナフタレンを得た。これをクロロホルムに溶解し、２当量のＮ−ブロモスクシンイミドを加え、室温で１日反応させた。これを常法に従い精製し、１−（１０−ブロモ−９−アンスリル）−４−（４−ブロモ−１−ナフチル）−ナフタレンを得た。これを、ジフェニルアミン、炭酸カリウム、銅粉と共にニトロベンゼン中で１８０℃で４０時間反応させた。減圧蒸留によりニトロベンゼンを留去した後、常法にしたがって精製し、目的の化合物（４７）を得た。
　【００５３】合成例５（参考例）　化合物（５４）の合成
合成例３で得た化合物３８をクロロホルムに溶解し、２当量のＮ−ブロモスクシンイミドを加え、室温で１日反応させた。これを常法に従い精製し、９、１０−ビス（１０’−ブロモ−９−アンスリル）アントラセンを得た。これを、ジフェニルアミン、炭酸カリウム、銅粉と共にニトロベンゼン中で１８０℃で４０時間反応させた。減圧蒸留によりニトロベンゼンを留去した後、常法にしたがって精製し、目的の化合物（５４）を得た。
　【００５４】合成例６（参考例）　化合物（６０）の合成
化合物（５４）をトルエンに溶解させ、これにオキシ塩化リンを加えて室温で攪拌した。これにＮ−メチルホルムアニリドを滴下し、５０℃で５時間攪拌した。反応終了後冷水にゆっくり注ぎ、分液ロートに移してトルエン層を水で中性になるまで数回洗浄した。硫酸マグネシウムで乾燥後溶媒を留去して１０，１０”−ビス（Ｎ−ｐ−ホルミルフェニル−Ｎ−フェニルアミノ）トリー９，１０−アンスリレンを合成した。次いでジメチルスルホキシドに４−メチルベンジルホスホン酸ジエチルと水素化ナトリウムを加え、攪拌したものに１０，１０”−ビス（Ｎ−ｐ−ホルミルフェニル−Ｎ−トリルアミノ）トリー９，１０−アンスリレンのジメチルスルホキシド溶液を滴下し５０℃で３時間攪拌した。反応終了後、反応溶液を氷水に注ぎ、酸を加えて中和し、酢酸エチルで抽出した。溶媒を減圧除去した後、常法に従って精製し、目的の化合物（６０）を得た。
　【００５５】
　【００５６】合成例８（参考例）　化合物（７４）の合成
９−ブトモアントラセンとリチウムから生成した、９−リチオアントラセンとビスアントロンを反応させた後、よう化水素とホスフィン酸により還元的に芳香族化させた。その後常法に従い精製しテトラアンスリレンを得た。得られた化合物をクロロホルムに溶解し、１当量のＮ−ブロモスクシンイミドを加え、室温で１日反応させた。これを常法に従い精製し、９−（１０’−ブロモ−９−アンスリル）−１０−（９−アンスリル）アントラセンを得た。これを、ジフェニルアミン、炭酸カリウム、銅粉と共にニトロベンゼン中で１８０℃で４０時間反応させた。減圧蒸留によりニトロベンゼンを留去した後、常法に従って精製し、目的の化合物（７４）を得た。
　【００５７】合成例９（参考例）　化合物（８９）の合成
Ｎ−ブロモスクシンイミドを２当量用いる他は、合成例８（参考例）と同様の手法により、目的の化合物（８９）を得た。
　【００５８】
　【００５９】
　【００６０】
　【００６１】実施例４
本例にあげた有機ＥＬ素子の断面構造を図１に示す。素子は陽極／発光層／陰極により構成されている。ガラス基板１上にＩＴＯをスパッタリングによってシート抵抗が２０Ω／□になるように製膜し、陽極２とした。その上に発光層４として、化合物（４７）を真空蒸着法にて４０ｎｍ形成した。次に陰極６としてマグネシウム−銀合金を真空蒸着法にて２００ｎｍ形成して有機ＥＬ素子を作製した。この素子に直流電圧を５Ｖ印加したところ、３６０ｃｄ／ｍ２の発光が得られた。
　【００６２】参考例５
発光材料として、化合物（５４）を用いる以外は実施例４と同様の操作を行い有機ＥＬ素子を作製した。この素子に直流電圧を５Ｖ印加したところ、３００ｃｄ／ｍ２の発光が得られた。
　【００６３】参考例６
発光材料として、化合物（６０）を用いる以外は実施例４と同様の操作を行い有機ＥＬ素子を作製した。この素子に直流電圧を５Ｖ印加したところ、６００ｃｄ／ｍ２の発光が得られた。
　【００６４】
　【００６５】参考例８
発光材料として、化合物（７４）を用いる以外は実施例４と同様の操作を行い有機ＥＬ素子を作製した。この素子に直流電圧を５Ｖ印加したところ、３９０ｃｄ／ｍ２の発光が得られた。
　【００６６】参考例９
発光材料として、化合物（８９）を用いる以外は実施例４と同様の操作を行い有機ＥＬ素子を作製した。この素子に直流電圧を５Ｖ印加したところ、８１０ｃｄ／ｍ２の発光が得られた。
　【００６７】
　【００６８】参考例１１
実施例４と同じ構成の有機ＥＬ素子を次のようにして作製した。ガラス基板１上にＩＴＯをスパッタリングによってシート抵抗が２０Ω／□になるように製膜し、陽極２とした。その上に化合物（６０）のクロロホルム溶液を用いたスピンコート法により４０ｎｍの発光層４を形成した。次に陰極６としてマグネシウム−銀合金を真空蒸着法により２００ｎｍ形成した。この素子に直流電圧を５Ｖ印加したところ、２１０ｃｄ／ｍ２の発光が得られた。
　【００６９】参考例１２
発光材料として、化合物（８９）を用いる以外は参考例１１と同様の操作を行い有機ＥＬ素子を作製した。この素子に直流電圧を５Ｖ印加したところ、３４０ｃｄ／ｍ２の発光が得られた。
　【００７０】
　【００７１】
　【００７２】
　【００７３】
　【００７４】参考例１７
本例にあげた有機ＥＬ素子の断面構造を図２に示す。素子は陽極／正孔輸送層／発光層／電子輸送層／陰極により構成されている。ガラス基板１上にＩＴＯをスパッタリングによってシート抵抗が２０Ω／□になるように製膜し、陽極２とした。その上に正孔輸送層３として［０４］を真空蒸着法にて５０ｎｍ形成した。次に、発光層４として、化合物（５４）を真空蒸着法にて４０ｎｍ形成した。次に、電子輸送層５として［１１］を真空蒸着法にて２０ｎｍ形成した。次に陰極６としてマグネシウム−銀合金を真空蒸着法によって２００ｎｍ形成して有機ＥＬ素子を作製した。この素子に直流電圧を１０Ｖ印加したところ、３４００ｃｄ／ｍ２の発光が得られた。
　【００７５】参考例１８
正孔輸送層として［０５］を、発光層として化合物（６０）を、電子輸送層として［１２］を用いる以外は参考例１７と同様の操作を行い有機ＥＬ素子を作製した。この素子に直流電圧を１０Ｖ印加したところ、４５００ｃｄ／ｍ２の発光が得られた。
　【００７６】実施例１９
発光層として、化合物（４７）を用いる以外は参考例１８と同様の操作を行い有機ＥＬ素子を作製した。この素子に直流電圧を１０Ｖ印加したところ、４３００ｃｄ／ｍ２の発光が得られた。
　【００７７】参考例２０
発光層として、化合物（７４）を用いる以外は参考例１８と同様の操作を行い有機ＥＬ素子を作製した。この素子に直流電圧を１０Ｖ印加したところ、３８００ｃｄ／ｍ２の発光が得られた。
　【００７８】参考例２１
発光層として、化合物（８９）を用いる以外は参考例１８と同様の操作を行い有機ＥＬ素子を作製した。この素子に直流電圧を１０Ｖ印加したところ、６０００ｃｄ／ｍ２の発光が得られた。
　【００７９】
　【００８０】
　【００８１】参考例２４
本例にあげた有機ＥＬ素子の断面構造を図４に示す。素子は陽極／発光層／電子輸送層／陰極により構成されている。ガラス基板１上にＩＴＯをスパッタリングによってシート抵抗が２０Ω／□になるように製膜し、陽極２とした。その上に発光層４としてＮ，Ｎ‘−ジフェニル−Ｎ−Ｎ−ビス（１−ナフチル）−１，１’−ビフェニル）−４，４−‘ジアミン［０３］と化合物（５４）を１：１０の重量比で共蒸着して作製した薄膜を５０ｎｍ形成した。次いで電子輸送層５として［０９］を真空蒸着法にて５０ｎｍ形成した。次に陰極６としてマグネシウム−銀合金を２００ｎｍ形成してＥＬ素子を作製した。この素子に直流電圧を１０Ｖ印加したところ、２３００ｃｄ／ｍ２の発光が得られた。
　【００８２】参考例２５
化合物（５４）の代わりに化合物（８９）を用いる以外は実施例２４と同様の操作を行い有機ＥＬ素子を作製した。この素子に直流電圧を１０Ｖ印加したところ、４５００ｃｄ／ｍ２の発光が得られた。
　【００８３】
　【００８４】参考例２７
ガラス基板上にＩＴＯをスパッタリングによってシート抵抗が２０Ω／□になるように製膜し、陽極とした。その上に化合物（６０）とＮ，Ｎ‘−ジフェニル−Ｎ−Ｎ−ビス（１−ナフチル）−１，１’−ビフェニル）−４，４‘−ジアミン［０３］をモル比で１：１０の割合で含有するクロロホルム溶液を用いたスピンコート法により４０ｎｍの発光層を形成した。次に［１０］を真空蒸着法により５０ｎｍの電子輸送層を形成し、その上に陰極としてマグネシウム−銀合金を真空蒸着法により２００ｎｍ形成して有機ＥＬ素子を作製した。この素子に直流電圧を１０Ｖ印加したところ、９００ｃｄ／ｍ２の発光が得られた。
　【００８５】
　【００８６】
　【００８７】参考例３０
本例にあげた有機ＥＬ素子の断面構造を図３に示す。素子は陽極／正孔輸送層／発光層／陰極により構成されている。ガラス基板１上にＩＴＯをスパッタリングによってシート抵抗が２０Ω／□になるように製膜し、陽極２とした。その上に正孔輸送層３としてＮ，Ｎ‘−ジフェニル−Ｎ−Ｎ−ビス（１−ナフチル）−１，１’−ビフェニル）−４，４‘−ジアミン［０３］を真空蒸着法にて５０ｎｍ形成した。次に、発光層４として［１１］と化合物（５４）とを２０：１の重量比で真空共蒸着した膜を５０ｎｍ形成した。次に陰極６としてマグネシウム−銀合金を２００ｎｍ形成してＥＬ素子を作製した。この素子に直流電圧を１０Ｖ印加したところ、１８００ｃｄ／ｍ２の発光が得られた。
　【００８８】参考例３１
正孔輸送層としてＮ，Ｎ’−ジフェニル−Ｎ，Ｎ’−ビス（３−メチルフェニル）−［１，１′−ビフェニル］−４，４′−ジアミン［０２］を、発光層として［１３］と化合物（６０）とを２０：１の重量比で真空共蒸着して作製した膜を用いる以
外は参考例３０と同様の操作を行い有機ＥＬ素子を作製した。この素子に直流電圧を１０Ｖ印加したところ、２３００ｃｄ／ｍ２の発光が得られた。
参考例３２
正孔輸送層として化合物（５４）を、発光層として［１３］を用いる以外は参考例１７と同様の操作を行い有機ＥＬ素子を作製した。この素子に直流電圧を１０Ｖ印加したところ、１３００ｃｄ／ｍ２の発光が得られた。
　【００８９】
　【００９０】参考例３４
正孔輸送材料として、化合物（６０）を用いる以外は参考例３２と同様の操作を行い有機ＥＬ素子を作製した。この素子に直流電圧を１０Ｖ印加したところ、１８００ｃｄ／ｍ２の発光が得られた。
　【００９１】参考例３５
正孔輸送材料として、化合物（８９）を用いる以外は参考例３２と同様の操作を行い有機ＥＬ素子を作製した。この素子に直流電圧を１０Ｖ印加したところ、２９００ｃｄ／ｍ２の発光が得られた。
　【００９２】
　【００９３】
　【００９４】
　【００９５】
　【発明の効果】以上説明したとおり、本発明化合物を有機ＥＬ素子の構成材料とすることにより、従来に比べて高輝度な発光が得られ、本発明の効果は大である。
【図面の簡単な説明】
　【図１】本発明の有機ＥＬ素子の断面図である。
　【図２】本発明の有機ＥＬ素子の断面図である。
　【図３】本発明の有機ＥＬ素子の断面図である。
　【図４】本発明の有機ＥＬ素子の断面図である。
　【符号の説明】
１　基板
２　陽極
３　正孔輸送層
４　発光層
５　電子輸送層
６　陰極